(57)【要約】【課題】２波長用光ピックアップのビームスポット位置を調整するとき、その調整を容易にする。【解決手段】２層構造のディスク５を回転させ、対物レンズに所定の交番信号ＳＤＲＶを供給して光軸方向のビームスポット位置を周期的に変化させる（図２Ｂ）。このときのフォーカスエラー信号ＳＥＲＲを形成する。フォトディテクタに対する第１および第２の反射レーザー光のトラック方向およびトラック幅方向におけるビームスポット位置を示す信号を形成する。フォーカスエラー信号ＳＥＲＲから、反射レーザー光の光軸方向におけるフォーカス位置が信号層５Ｃ、５Ｄになったとき、これを示す信号ＰＺＲを形成する。この信号ＰＺＲが得られるときのビームスポット位置を示す信号により、反射レーザー光のトラック方向およびトラック幅方向におけるビームスポット位置をそれぞれ表示する。【選択図】　　　　図２
2004086950.tif 000002
【特許請求の範囲】
【請求項１】
第１の波長のレーザー光を第１のディスクに照射したときの第１の反射レーザー光が入射される第１のフォトディテクタと、第２の波長のレーザー光を第２のディスクに照射したときの第２の反射レーザー光が入射される第２のフォトディテクタとが一体化された光ピックアップについて、
上記第１および第２のフォトディテクタに対する上記第１および第２の反射レーザー光のビームスポット位置を、上記第１の反射レーザー光により信号が読み取られる第１の信号層と、上記第２の反射レーザー光により信号が読み取られる第２の信号層とを備える複数層構造のディスクにより調整する場合において、
上記ディスクが所定位置にセットされた状態で、上記第１および第２の反射レーザー光のフォーカス位置を決定する対物レンズのドライブコイルに所定の周期で変化する交番信号を供給し、
上記第１のフォトディテクタの出力信号から第１のフォーカスエラー信号を形成し、
上記第２のフォトディテクタの出力信号から第２のフォーカスエラー信号を形成し、
上記第１のフォトディテクタの出力信号から上記第１のフォトディテクタに対する上記第１の反射レーザー光のトラック方向およびトラック幅方向におけるビームスポット位置を示す信号を形成し、
上記第２のフォトディテクタの出力信号から上記第２のフォトディテクタに対する上記第２の反射レーザー光のトラック方向およびトラック幅方向におけるビームスポット位置を示す信号を形成し、
上記第１のフォーカスエラー信号と上記第２のフォーカスエラー信号とに基づいて、上記第１および第２の反射レーザー光の光軸方向におけるフォーカス位置が上記第１または第２の信号層にあることを示すフォーカス位置信号を形成し、
このフォーカス位置信号に基づいて、上記第１のフォトディテクタに対する上記第１の反射レーザー光の上記トラック方向およびトラック幅方向におけるビームスポット位置と上記第２のフォトディテクタに対する上記第１の反射レーザー光の上記トラック方向およびトラック幅方向におけるビームスポット位置とをそれぞれ表示する
ようにした光ピックアップにおける反射レーザー光の到達位置の表示方法。
【請求項２】
請求項１に記載の表示方法において、
上記第１および第２のフォトディテクタの出力信号を、上記対物レンズの変位に同期して切り換えて上記フォーカスエラー信号と上記フォーカス位置を示すフォーカス位置信号とを形成する
ようにした光ピックアップにおける反射レーザー光の到達位置の表示方法。
【請求項３】
少なくとも、第１の波長のレーザー光を第１のディスクに照射したときの第１の反射レーザー光が入射される第１のフォトディテクタと、第２の波長のレーザー光を第２のディスクに照射したときの第２の反射レーザー光が入射される第２のフォトディテクタとが一体化された光ピックアップについて、
上記第１および第２のフォトディテクタに対する上記第１および第２の反射レーザー光のビームスポット位置を調整する調整装置において、
所定の周期で変化する交番信号を出力する第１の形成回路と、
上記第１および第２のフォトディテクタの出力信号から上記第１および第２のフォトディテクタに対する上記第１および第２の反射レーザー光のトラック方向およびトラック幅方向におけるビームスポット位置を示す信号を形成する第２の形成回路と、
上記第１および第２のフォトディテクタの出力信号から、上記第１および第２の反射レーザー光の光軸方向におけるフォーカス位置が上記第１および第２の信号層になったとき、これを示す信号を形成する第３の形成回路と、
ディスプレイと
を有し、
上記第１の反射レーザー光により信号が読み取られる第１の信号層と、上記第２の反射レーザー光により信号が読み取られる第２の信号層とを２層構造で有するディスクを回転させ、
このディスクの回転状態時に、上記第１の形成回路の出力信号により上記対物レンズを所定の周期で偏位させ、
上記第３の形成回路の出力信号により上記第２の形成回路の出力信号を取り出し、
この取り出した信号を上記ディスプレイに供給して上記第１および第２のフォトディテクタに対する上記第１および第２の反射レーザー光の上記トラック方向およびトラック幅方向におけるビームスポット位置をそれぞれ表示する
ようにした光ピックアップにおける反射レーザー光の到達位置の表示装置。
【請求項４】
請求項３に記載の表示装置において、
上記第１および第２のフォトディテクタの出力信号を、上記対物レンズの偏位に同期して取り出すスイッチ回路を有し、
このスイッチ回路の出力信号から上記フォーカスエラー信号および上記フォーカス位置を示す信号を形成する
ようにした光ピックアップにおける反射レーザー光の到達位置の表示装置。
【発明の詳細な説明】
【０００１】
【発明の属する技術分野】
この発明は、光ピックアップにおける反射レーザー光の到達位置の表示方法および表示装置に関する。
【０００２】
【従来の技術】
光ディスクとしてＣＤやＤＶＤなどがあるが、これらのディスクから信号を読み取るための光ピックアップは、例えば図５に示すように構成されている。すなわち、レーザー光源１からレーザー光が出力され、このレーザー光が、ビームスプリッタ２により反射されてからコリメータレンズ３および対物レンズ４を通じてディスク５の信号面に照射される。そして、ディスク５の反射レーザー光が、対物レンズ４およびコリメータレンズ３を通じ、さらに、ビームスプリッタ２を通じて受光部６に供給され、ディスク５に記録されている信号が取り出される。
【０００３】
そして、ＣＤとＤＶＤとでは、ディスクの物理的な大きさは同じであっても、再生に使用するレーザー光の波長が異なり、ＣＤ用では７８０μｍ、ＤＶＤ用では６５０μｍとされている。
【０００４】
そこで、ＣＤおよびＤＶＤの両方を再生するディスクプレーヤの場合には、上述のレーザー光源１および受光部６が２波長用のものとされている。すなわち、レーザー光源１は、例えば図６に示すように、１つの半導体チップ１１に、２つのレーザーダイオード１２、１３を形成した２波長レーザーダイオードとされる。ここで、レーザーダイオード１２はＣＤ用で、波長７８０μｍのレーザー光を出力し、レーザーダイオード１３はＤＶＤ用で、波長６５０μｍのレーザー光を出力する。また、レーザーダイオード１２、１３は、ディスクのトラック方向に所定の間隔をもって配列されている。
【０００５】
また、受光部６は、例えば図７に示すように、１つの半導体チップ６１に、２つのフォトディテクタ６２、６３を形成した２波長用フォトディテクタとされる。このとき、フォトディテクタ６２はＣＤ用で、フォトディテクタ６３はＤＶＤ用であり、両者は、ディスクのトラック方向に所定の間隔をもって配列されている。
【０００６】
したがって、ＣＤを再生するときと、ＤＶＤを再生するときとで、レーザーダイオード１２およびフォトディテクタ６２と、レーザーダイオード１３およびフォトディテクタ６３と切り換えれば、ＣＤあるいはＤＶＤに記録されている信号を適切に読み取ることができる。
【０００７】
【発明が解決しようとする課題】
ところで、上述の光ピックアップにおいては、例えば図８に示すように、レーザーダイオード１２から出力され、ＣＤにより反射したレーザー光ＢＳがフォトディテクタ６２の中心に到達し、かつ、レーザーダイオード１３から出力され、ＤＶＤにより反射したレーザー光ＢＳがフォトディテクタ６３の中心に到達する必要がある。
【０００８】
このため、フォトディテクタ６２、６３は、例えば図８に示すように構成される。すなわち、フォトディテクタ６２、６３の受光面は、例えば図８に示すようにトラック方向（Ｘ軸方向）およびトラック幅方向（Ｙ軸方向）にそれぞれ２分割され、全体では４つの領域６Ａ〜６Ｄに分割される。
【０００９】
そして、
Ａ〜Ｄ：分割領域６Ａ〜６Ｄの出力信号
とするとき、
ＰＸ＝（（Ａ＋Ｂ）−（Ｄ＋Ｃ））／Ｓ　　　　　・・・　（１）
ＰＹ＝（（Ａ＋Ｄ）−（Ｂ＋Ｃ））／Ｓ　　　　　・・・　（２）
Ｓ＝Ａ＋Ｂ＋Ｃ＋Ｄ
で示される信号ＰＸ、ＰＹが形成される。
【００１０】
すると、信号ＰＸは、フォトディテクタ６２、６３に対する反射レーザー光ＢＳのＸ軸方向におけるビームスポット位置を示し、信号ＰＹは、フォトディテクタ６２、６３に対する反射レーザー光ＢＳのＹ軸方向におけるビームスポット位置を示すことになる。したがって、信号ＰＸ、ＰＹによりフォトディテクタ６２、６３に対する反射レーザー光ＢＳのビームスポット位置（Ｘ軸およびＹ軸を含む面内におけるレーザー光のランディング位置）を知ることができる。
【００１１】
そこで、光ピックアップの製造組み立て時、フォトディテクタ６２、６３に対する反射レーザー光のビームスポット位置が、以下のようにして調整される。すなわち、専用の調整装置が用意され、例えば図９に示すように、その調整装置のディスプレイ８４には、基準となるＸ軸およびＹ軸が表示されるとともに、反射レーザー光ＢＳのビームスポット位置を示す輝点ＭＫが表示される。この輝点ＭＫの座標位置は信号ＰＸ、ＰＹから求めたものであり、ビームスポット位置がフォトディテクタ６２あるいは６３の中心のとき、輝点ＭＫはＸＹ座標の原点に位置する。
【００１２】
そして、調整対象の光ピックアップを調整基台（調整用ディスクプレーヤ）に組み込み、以下の操作を実行する。すなわち、
▲１▼　調整基台にＣＤをセットしてＣＤを回転状態とする。
▲２▼　図９における輝点ＭＫがＸＹ座標の原点に位置するように、受光部６の位置を微調する。この調整により、フォトディテクタ６３に対する反射レーザー光のビームスポット位置がずれることがある。そこで、
▲３▼　調整基台にＤＶＤをセットしてＤＶＤを回転状態とする。
▲４▼　図９における輝点ＭＫがＸＹ座標の原点に位置するように、受光部６の位置を微調する。この調整により、フォトディテクタ６２に対する反射レーザー光のビームスポット位置がずれることがある。このため、
▲５▼　▲１▼項の調整を行う。
▲６▼　以後、フォトディテクタ６２、６３に対する各反射レーザー光のビームスポット位置が許容誤差範囲に収まるまで、▲１▼〜▲４▼項を繰り返す。
のような調整を行う。なお、このとき、フォトディテクタ６２、６３の中心を結ぶ線と、Ｘ軸とのなす角度θも調整する。
しかし、フォトディテクタ６２に対する反射レーザー光のビームスポット位置の調整と、フォトディテクタ６３と反射レーザー光のビームスポット位置の調整とが互い影響するにもかかわらず、ＣＤとＤＶＤとを交互にセットして調整を交互に行うのでは、調整に熟練を要するとともに、かなりの手間と時間もかかってしまう。このため、生産性が悪く、また、このことによりプレーヤのコストが上昇してしまう。
【００１３】
この発明は、このような問題点を解決しようとするものである。
【００１４】
【課題を解決するための手段】
この発明においては、例えば、
第１の波長のレーザー光を第１のディスクに照射したときの第１の反射レーザー光が入射される第１のフォトディテクタと、第２の波長のレーザー光を第２のディスクに照射したときの第２の反射レーザー光が入射される第２のフォトディテクタとが一体化された光ピックアップについて、
上記第１および第２のフォトディテクタに対する上記第１および第２の反射レーザー光のビームスポット位置を、上記第１の反射レーザー光により信号が読み取られる第１の信号層と、上記第２の反射レーザー光により信号が読み取られる第２の信号層とを備える複数層構造のディスクにより調整する場合において、
上記ディスクが所定位置にセットされた状態で、上記第１および第２の反射レーザー光のフォーカス位置を決定する対物レンズのドライブコイルに所定の周期で変化する交番信号を供給し、
上記第１のフォトディテクタの出力信号から第１のフォーカスエラー信号を形成し、
上記第２のフォトディテクタの出力信号から第２のフォーカスエラー信号を形成し、
上記第１のフォトディテクタの出力信号から上記第１のフォトディテクタに対する上記第１の反射レーザー光のトラック方向およびトラック幅方向におけるビームスポット位置を示す信号を形成し、
上記第２のフォトディテクタの出力信号から上記第２のフォトディテクタに対する上記第２の反射レーザー光のトラック方向およびトラック幅方向におけるビームスポット位置を示す信号を形成し、
上記第１のフォーカスエラー信号と上記第２のフォーカスエラー信号とに基づいて、上記第１および第２の反射レーザー光の光軸方向におけるフォーカス位置が上記第１または第２の信号層にあることを示すフォーカス位置信号を形成し、
このフォーカス位置信号に基づいて、上記第１のフォトディテクタに対する上記第１の反射レーザー光の上記トラック方向およびトラック幅方向におけるビームスポット位置と上記第２のフォトディテクタに対する上記第１の反射レーザー光の上記トラック方向およびトラック幅方向におけるビームスポット位置とをそれぞれ表示する
ようにした光ピックアップにおける反射レーザー光の到達位置の表示方法
とするものである。
したがって、第１のおよび第２のフォトディテクタに対する反射レーザー光のトラック方向およびトラック幅方向におけるビームスポット位置が、見掛け上、同時にリアルタイムで表示される。
【００１５】
【発明の実施の形態】
〔この発明のアウトライン〕
光ディスクとしてＳＡＣＤがあり、このＳＡＣＤには信号面が１層のものと２層ものがあるが、２層のＳＡＣＤは、図１に示すように、ディスク５の厚さ方向におけるほぼ中央に信号層５Ｄを有し、読み取りレーザー光の入射される面とは反対側に信号層５Ｃを有している。そして、信号層５ＤにはＤＶＤと等しい仕様でＤＳＤ信号が記録され、信号層５ＣにはＣＤと等しい仕様でＰＣＭ信号が記録されている。なお、以下、信号層５ＤをＤＶＤ層と呼び、信号層５ＣをＣＤ層と呼ぶものとする。
【００１６】
そして、ＤＶＤ層５ＤからＤＳＤ信号を再生する場合には、図１の左側に示すように、対物レンズ４のディスク５との距離を制御してレーザー光がＤＶＤ層５Ｄに焦点を結ぶようにしている。また、ＣＤ層５ＣからＰＣＭ信号を再生する場合には、図１の右側に示すように、対物レンズ４のディスク５との距離を制御してレーザー光がＣＤ層５Ｃに焦点を結ぶようにしている。
【００１７】
そこで、このＳＡＣＤおよび調整対象の光ピックアップを調整用のプレーヤにセットして回転させる。そして、例えば図２Ａに示すように、所定のレベルの三角波信号ＳＤＲＶを用意し、この三角波信号ＳＤＲＶを、その調整対象の光ピックアップの対物レンズ４のフォーカス制御用のドライブコイルに、そのドライブ電圧として供給する。なお、この三角波信号ＳＤＲＶの周波数を高くすると、調整に必要となる時間を短縮できるので、高くすることが好ましい。また、フォーカスサーボはオフとする。
【００１８】
すると、対物レンズ４のフォーカス位置（レンズ４の光軸方向におけるフォーカス位置）は、その三角波信号ＳＤＲＶの波形に対応して図２Ｂに折れ線Ｂで示すように変化し、時点ｔ０ごとに信号層５Ｄ、５Ｃを縦断する。
【００１９】
そこで、図２Ｃに示すように、三角波信号ＳＤＲＶに同期して反転する矩形波信号ＳＣＨＧ、すなわち、信号ＳＣＨＧのレベルがその中心値よりも大きいときには、“Ｈ”レベルとなり、中心値よりも小さいときには、“Ｌ”レベルとなる矩形波信号ＳＣＨＧを用意し、この信号ＳＣＨＧにより、ＣＤ用のレーザーダイオード１２およびフォトディテクタ６２の組と、ＤＶＤ用のレーザーダイオード１３およびフォトディテクタ６３の組とを切り換える。すなわち、ＳＣＨＧ＝“Ｈ”のときには、ＣＤ用のレーザーダイオード１２およびフォトディテクタ６２の組を有効とし、ＳＣＨＧ＝“Ｌ”のときにには、ＤＶＤ用のレーザーダイオード１３およびフォトディテクタ６３の組を有効とする。
【００２０】
すると、フォーカスサーボ回路におけるフォーカスエラー信号ＳＥＲＲは、対物レンズ４のフォーカス位置に対応して、図２Ｄに示すように変化し、時点ｔ０ごとに極性が反転する。そして、このフォーカスエラー信号ＳＥＲＲを波形整形することにより、図２Ｅに示すように、時点ｔ０ごとに、この時点ｔ０を示すパルスＰＺＲを得ることができる。つまり、パルスＰＺＲが出力されたとき、対物レンズ４のフォーカス位置は、ＣＤ層５ＣあるいはＤＶＤ層５Ｄのどちらかにある。そして、そのフォーカス位置が、ＣＤ層５ＣとＤＶＤ層５Ｄとのどちらにあるかは、矩形波信号ＳＣＨＧのレベルから知ることができる。
【００２１】
また、フォトディテクタ６２あるいは６３に対するレーザー光のビームスポット位置は、（１）式および（２）式から知ることができる。すなわち、信号ＰＺＲ、ＳＣＨＧの示す時点ｔ０における信号ＳＸ、ＳＹを取り出せば、フォトディテクタ６２あるいは６３に対するレーザー光のＸ軸方向およびＹ軸方向のビームスポット位置をディスプレイに表示することができる。
【００２２】
そして、図２および上述の説明からも分かるように、パルスＰＺＲは、三角波信号ＳＤＲＶの１周期につき４回得ることができるとともに、そのとき、調整に使用しているＳＡＣＤを取り替える必要がない。したがって、フォトディテクタ６２に対するレーザー光のビームスポット位置と、フォトディテクタ６３に対するレーザー光のビームスポット位置とを、ディスプレイに（時分割式に）同時に表示することができる。
【００２３】
〔この発明の一例〕
図３は、この発明の一例を示し、この例においては、ＣＤおよびＤＶＤ用の光ピックアップのビームスポット位置を調整するための調整装置に適用した場合である。そして、この図３において、符号７０は、そのビームスポット位置が調整される光ピックアップを示し、この光ピックアップ７０は、図５により説明したように構成されているとともに、図６および図７により説明したように、レーザー光源１はＣＤ用のレーザーダイオード１２およびＤＶＤ用のレーザーダイオード１３を有し、受光部６はＣＤ用のフォトディテクタ６２およびＤＶＤ用のフォトディテクタ６３を有する。
【００２４】
また、フォトディテクタ６２の出力信号Ａ〜Ｄおよびフォトディテクタ６３の出力信号Ａ〜Ｄがスイッチ回路７１に供給されるとともに、このスイッチ回路７１には図２Ｃに示す矩形波信号ＳＣＨＧが切り換え制御信号として供給され、スイッチ回路７１からは、ＳＣＨＧ＝“Ｈ”のときには、フォトディテクタ６２の出力信号Ａ〜Ｄが取り出され、ＳＣＨＧ＝“Ｌ”のときには、フォトディテクタ６３の出力信号Ａ〜Ｄが取り出される。
【００２５】
なお、実際には、スイッチ回路７１はフォトディテクタ６２、６３と一体に１チップＩＣ化されている。また、光ピックアップ７０は、対物レンズ４をその光軸方向にドライブするためのドライブコイル７２も有する。
【００２６】
さらに、この調整装置には、表示信号形成回路８３、ディスプレイ８４および信号形成回路８５などが設けられる。この場合、ディスプレイ８４は、例えば図４に示すように、フォトディテクタ６２、６３に対するレーザー光のビームスポット位置を、見掛け上、同時にグラフィックス表示するためのものである。また、表示信号形成回路８３は、そのグラフィックス表示に必要な信号をフォトディテクタ６２あるいは６３の出力信号に基づいて形成するものである。
【００２７】
さらに、信号形成回路９２は、図２Ａに示す三角波信号ＳＤＲＶと、矩形波信号ＳＣＨＧを形成するものである。また、光ピックアップ７０に対向して、図１により説明したＳＡＣＤ５が調整用のディスクとして配置されるとともに、このＳＡＣＤ５は通常の再生速度で回転させられる。
【００２８】
そして、フォトディテクタ６２、６３に対するレーザー光のビームスポット位置の調整時には、表示信号形成回路８３から信号形成回路８５に調整の開始を指示する信号が供給される。すると、信号形成回路８５からは図２Ａに示す三角波信号ＳＤＲＶが出力され、この信号ＳＤＲＶがドライブアンプ９１を通じて対物レンズ４のドライブコイル７２に供給される。また、信号形成回路８５から図２Ｃに示す信号ＳＣＨＧが出力され、この信号ＳＣＨＧがスイッチ回路７１にその切り換え制御信号として供給される。
【００２９】
さらに、信号ＳＣＨＧが、ドライブ回路９２、９３にドライブ電圧の制御信号として供給され、ＳＣＨＧ＝“Ｈ”のとき、ドライブ回路９２からドライブ電圧ＶＣＤが出力されてレーザーダイオード１２に供給され、ＳＣＨＧ＝“Ｌ”のとき、ドライブ回路９３からドライブ電圧ＶＤＶＤが出力されてレーザーダイオード１３に供給される。
【００３０】
したがって、信号ＳＣＨＧが反転するごとにレーザーダイオード１２、１３から交互に読み取りレーザー光が出力されるとともに、対物レンズ４の光軸方向のフォーカス位置は、図２Ｂに折れ線Ｂにより示すように変化する。そして、このとき、フォトディテクタ６２、６３の出力信号Ａ〜Ｄ、Ａ〜Ｄがスイッチ回路７１により選択的に取り出される。そして、この取り出された信号Ａ〜ＤがＲＦアンプ８１に供給されて座標信号ＰＸ、ＰＹおよびパルスＰＺＲが形成され、これら信号ＰＸ、ＰＹおよびパルスＰＺＲがＡ／Ｄコンバータ回路８２に供給されてパルスＰＺＲごとに信号ＰＸ、ＰＹがＡ／Ｄ変換されて時点ｔ０における信号ＰＸ、ＰＹの値ＤＸ、ＤＹが取り出される。
【００３１】
こうして、Ａ／Ｄコンバータ回路８２からは、対物レンズ４の光軸方向におけるフォーカス位置がＳＡＣＤ５のＣＤ層５ＣあるいはＤＶＤ層５Ｄになったときのフォトディテクタ６２あるいは６３に対するレーザー光のＸ軸およびＹ軸方向におけるビームスポット位置を示すデータＤＸ、ＤＹが取り出される。
【００３２】
そして、このデータＤＸ、ＤＹと、信号ＳＣＨＧが表示信号形成回路８３に供給されてＳＣＨＧ＝“Ｈ”のときのデータＤＸ、ＤＹからフォトディテクタ６２に対するレーザー光のビームスポット位置の表示信号が形成され、この表示信号がディスプレイ８４に供給されて図４の左側に示すように、フォトディテクタ６２に対するレーザー光のビームスポット位置に対応した座標位置に、輝点ＭＣＤが表示される。また、ＳＣＨＧ＝“Ｌ”のときのデータＤＸ、ＤＹからフォトディテクタ６３に対するレーザー光のビームスポット位置の表示信号が形成され、この表示信号がディスプレイ８４に供給されて図４の右側に示すように、フォトディテクタ６３に対するレーザー光のビームスポット位置に対応した座標位置に、輝点ＭＤＶＤが表示される。
【００３３】
そして、この表示は時点ｔ０ごとに行われるので、ディスプレイ８４には、フォトディテクタ６２、６３に対するレーザー光のビームスポット位置を示す輝点ＭＣＤ、ＭＤＶＤが、見掛け上、同時にリアルタイムで表示されることになる。
【００３４】
こうして、上述の調整装置によれば、図４に示すように、フォトディテクタ６２、６３に対するレーザー光のビームスポット位置を同時に表示することができ、このとき、ディスクを入れ換える必要がない。したがって、フォトディテクタ６２、６３の位置Ｘ、Ｙ、θの調整が容易であり、熟練を必要とせず、手間や時間もかからない。したがって、生産性もよく、プレーヤのコストを下げることもできる。
【００３５】
また、三角波信号ＳＤＲＶにより対物レンズ４のフォーカス位置を光軸方向に変化させるときの変化範囲は、図２Ｂからも明かなように、ＣＤ層５ＣとＤＶＤ層５Ｄとの間隔程度、すなわち、０．６ｍｍ程度でよいので、その変化範囲はかなり狭く、したがって、対物レンズ４のドライブが容易である。
【００３６】
〔その他〕
上述においては、この発明を、ＣＤおよびＤＶＤを再生するための光ピックアップ７０に適用した場合であるが、波長の異なる複数のレーザー光にそれぞれ対応した複数のディスクから信号を読み取る光ピックアップであれば、この発明を適用することができる。
【００３７】
また、上述においては、フォトディテクタ６２、６３の位置Ｘ、Ｙ、θをマニュアルで調整する場合であるが、データＤＸ、ＤＹを使用して自動化することもでき、その場合には、データＤＸ、ＤＹが最小あるいは許容誤差範囲となるようにフィードバック制御すればよい。さらに、レーザーダイオード１２、１３は同時にレーザー光を出力してもよい。
【００３８】
〔この明細書で使用している略語の一覧〕
Ａ／Ｄ　：Ａｎａｌｏｇ　ｔｏ　Ｄｉｇｉｔａｌ
ＣＤ　　：Ｃｏｍｐａｃｔ　Ｄｉｓｃ
ＤＳＤ　：Ｄｉｒｅｃｔ　Ｓｔｒｅａｍ　Ｄｉｇｉｔａｌ
ＤＶＤ　：Ｄｉｇｉｔａｌ　Ｖｅｒｓａｔｉｌｅ　Ｄｉｓｃ
ＩＣ　　：Ｉｎｔｅｇｒａｔｅｄ　Ｃｉｒｃｕｉｔ
ＲＦ　　：Ｒａｄｉｏ　Ｆｒｅｑｕｅｎｃｙ
ＳＡＣＤ：Ｓｕｐｅｒ　Ａｕｄｉｏ　ＣＤ
レーザー：Ｌｉｇｈｔ　Ａｍｐｌｉｆｉｃａｔｉｏｎ　ｂｙ　Ｓｔｉｍｕｌａｔｅｄ　Ｅｍｉｓｓｉｏｎ　ｏｆ　Ｒａｄｉａｔｉｏｎ
【００３９】
【発明の効果】
この発明によれば、受光部が複数のフォトディテクタにより構成されていても、それらの位置の調整が容易であり、熟練を必要とせず、手間や時間もかからない。したがって、生産性もよく、プレーヤのコストを下げることもできる。また、対物レンズのドライブも容易である。
【図面の簡単な説明】
【図１】この発明を説明するためのディスクの断面図である。
【図２】この発明を説明するための波形図である。
【図３】この発明の一形態を示す系統図である。
【図４】この発明を説明するための表示画面の図である。
【図５】光ピックアップを説明するための図である。
【図６】レーザー光源を説明するための斜視図である。
【図７】受光部を説明するための斜視図である。
【図８】フォトディテクタを説明するための正面図である。
【図９】表示画面の例を示す図である。
【符号の説明】
１…レーザー光源、４…対物レンズ、５…ディスク（ＣＤ、ＳＡＣＤ、ＤＶＤ）、５Ｃ…ＣＤ層、５Ｄ…ＤＶＤ層、６…受光部、１２および１３…レーザーダイオード、６２および６３…フォトディテクタ、７０…光ピックアップ、７２…ドライブコイル、８２…Ａ／Ｄコンバータ回路、８３…表示信号形成回路、８４…ディスプレイ、８５…信号形成回路
【図１】
2004086950.tif 000003
【図２】
2004086950.tif 000004
【図３】
2004086950.tif 000005
【図４】
2004086950.tif 000006
【図５】
2004086950.tif 000007
【図６】
2004086950.tif 000008
【図７】
2004086950.tif 000009
【図８】
2004086950.tif 000010
【図９】
2004086950.tif 000011